(57)【要約】【課題】球をタンクから抜き取る場合、電気を使用することなく、取り扱いの容易化を図る。【解決手段】抜取扉１９が人による閉操作によって抜取口部１８を閉鎖し、払出機構３が停止した状態において、パチンコ球と呼ばれる球がタンク２の上方からタンク２の内部に入れられてタンク２に貯蔵された状態において、払出体１０が払出モータ１１で払出軸１３の周方向で一方向に駆動されると、払出体１０の螺旋体１４がタンク２から取入口部７を経由して収容部８に取り込まれた球を１個ずつ分離しながら左から右の方に誘導し、当該誘導された球が排出口部９から下方に払い出され、また、抜取扉１９が人による閉操作によって抜取口部１８を閉鎖し、払出機構３が停止し、球がタンク２に貯蔵された状態において、抜取扉１９が人による開操作によって抜取口部１８を開放すると、球がタンク２から抜取口部１８を経由して下方に抜き取られる。【選択図】図１
2008188336.tif 000002
【特許請求の範囲】
【請求項１】
タンクに払出機構および抜取機構を備え、タンクの底面が球を払出機構の取入口部に向けて流下させる斜面を構成し、抜取機構の抜取口部がタンクの底面の取入口部よりも上流側に設けられ、抜取機構の抜取扉が抜取口部を手動で開閉し得るようにタンクの底部に設けられ、タンクの底部には閉係合部および開係合部が設けられ、抜取扉には弾性片および弾性片に設けられた被係合部が設けられ、抜取扉の抜取口部を開放する位置において被係合部が開係合部に係留して抜取扉が開放位置に保持され、抜取扉の抜取口部を閉鎖する位置において被係合部が閉係合部に係留して抜取扉が閉鎖位置に保持されることを特徴とする遊技機の球払出装置。
【請求項２】
請求項１に記載の抜取扉にはばねが開放する方向または閉鎖する方向に付設されていないことを特徴とする遊技機の球払出装置。
【請求項３】
請求項１に記載のタンクの底部には扉収容部が抜取扉の閉方向端部を収容するようにタンクの底面から下方への窪みとして抜取口部における抜取扉の閉方向縁に設けられ、抜取扉が抜取口部を閉鎖した場合に抜取扉の閉方向端部が扉収容部に収容されて下から受け止めることを特徴とする遊技機の球払出装置。
【発明の詳細な説明】
【技術分野】
【０００１】
本発明は、球をタンクから抜き取る場合、電気を使用することなく、取り扱いが容易な遊技機の球払出装置に関する。
【背景技術】
【０００２】
球を遊技媒体として使用するパチンコ遊技機などの遊技機では、賞球または貸球などとしての球を遊技機の前部の受皿に払い出す球払出装置が知られている。図１１のａ図およびｂ図は、特許文献１で開示された球払出装置を示す。図１１のａ図およびｂ図において、タンク２の底部には、取入口部７および収容部８が設けられる。収容部８には、螺旋構造の払出体１０が収容される。タンク２の外面には、払出モータ１１が固定される。払出モータ１１の出力軸が払出体１０に連結される。収容部８の底部には、払出球出口部６５および抜取球出口部６６が設けられる。そして、払出体１０が払出モータ１１によって矢印Ｗ１の一方向に回転されると、球が矢印Ｘ５で示すようにタンク２から収容部８および払出球出口部６５を経由して払い出される。払出体１０が払出モータ１１によって矢印Ｗ２の他方向に回転されると、球が矢印Ｘ６で示すようにタンク２から収容部８および抜取球出口部６６を経由して抜き取られる。このため、球をタンク２から賞球または貸球として払い出す場合と抜取球として抜き取る場合との双方において、払出モータ１１で払出体１０を駆動しなければならないという欠点がある。
【特許文献１】特開平８−１０４１５号公報
【発明の開示】
【発明が解決しようとする課題】
【０００３】
発明が解決しようとする問題点は、球をタンクから抜き取る場合、電気を使用するので、取り扱いが面倒であるという点である。
【課題を解決するための手段】
【０００４】
本発明に係る遊技機の球払出装置は、タンクに払出機構および抜取機構を備え、タンクの底面が球を払出機構の取入口部に向けて流下させる斜面を構成し、抜取機構の抜取口部がタンクの底面の取入口部よりも上流側に設けられ、抜取機構の抜取扉が抜取口部を手動で開閉し得るようにタンクの底部に設けられ、タンクの底部には閉係合部および開係合部が設けられ、抜取扉には弾性片および弾性片に設けられた被係合部が設けられ、抜取扉の抜取口部を開放する位置において被係合部が開係合部に係留して抜取扉が開放位置に保持され、抜取扉の抜取口部を閉鎖する位置において被係合部が閉係合部に係留して抜取扉が閉鎖位置に保持されることを最も主要な特徴とする。抜取扉にはばねが開放する方向または閉鎖する方向に付設されていないか、または、タンクの底部には扉収容部が抜取扉の閉方向端部を収容するようにタンクの底面から下方への窪みとして抜取口部における抜取扉の閉方向縁に設けられ、抜取扉が抜取口部を閉鎖した場合に抜取扉の閉方向端部が扉収容部に収容されて下から受け止められてもよい。
【発明の効果】
【０００５】
本発明に係る遊技機の球払出装置は、抜取扉が抜取口部を手動で開閉し得るので、球をタンクから抜き取る場合、電気を使用することなく、取り扱いが容易であるという利点があり、また、抜取扉が抜取口部を開放した場合に開係合部と被係合部とが互いに係留して抜取扉が開放位置に保持されるので、球が抜取口部からタンクの下方外部に適切に抜き取られるという利点があり、また、抜取扉が抜取口部を閉鎖した場合に閉係合部と被係合部とが互いに係留して抜取扉が閉鎖位置に保持されるので、球が抜取口部から落下することなくタンクに適切に貯蔵されるという利点がある。抜取扉にはばねが開放する方向または閉鎖する方向に付設されていなければ、構造が簡単になるうえ、抜取扉の開閉操作が容易であるという利点がある。タンクの底部には扉収容部が抜取扉の閉方向端部を収容するようにタンクの底面から下方への窪みとして抜取口部における抜取扉の閉方向縁に設けられ、抜取扉が抜取口部を閉鎖した場合に抜取扉の閉方向端部が扉収容部に収容されて下から受け止められるようにすれば、抜取扉が閉鎖位置に保持された状態において、球がタンクの上方からタンクの内部に入れられてタンクに貯蔵される場合、抜取扉がそれの上に搭載された球の重さを負担し、球が抜取扉から取入口部の方に適切に流下するという利点がある。
【発明を実施するための最良の形態】
【０００６】
図１乃至図７は、発明を実施するための最良の形態である。図１は、遊技機の球払出装置１の平面を示す。図２は、抜取機構４を分解して示す。図３は、抜取扉１９が抜取口部１８を閉鎖した、図１のＡ−Ａ線に沿う断面を示す。図４は、抜取扉１９が抜取口部１８を開放した、図１のＡ−Ａ線に沿う断面を示す。図５は、図１のＢ−Ｂ線に沿う断面を示す。図６は、球払出装置１を搭載したパチンコ遊技機を示す。図７は、球払出装置１を搭載したパチンコ遊技機の背面を示す。本明細書において、「前」、「後」、「左」、「右」、「上」、「下」の方向は、図６の状態に遊技機枠を置いて矢印Ｓで示す前側から見た場合に特定される方向である。
【０００７】
図１を参照し、遊技機の球払出装置１について説明する。球払出装置１は、タンク２に払出機構３、抜取機構４、図外の球切検出機構などを備える。タンク２は、遊技機設置構造体の補給機構から排出されたパチンコ球と呼ばれる球を貯蔵するものであって、上方に開口した箱形の球貯蔵室を内部に構成する。タンク２の底面６は、球を矢印Ｘ１で示す方向たる左から右に向けて流下させるというように、球を取入口部７に向けて流下させる斜面を構成する。
【０００８】
払出機構３は、タンク２の右端部に設けられ、取入口部７、収容部８、排出口部９、払出体１０、払出モータ１１、筐体１２を備える。取入口部７は、底面６に上下方向への貫通孔として設けられる。収容部８は、取入口部７の周縁部から下方への窪みとして、底面６から下方に突出する。排出口部９は、収容部８の右端部における底部に上下方向への貫通孔として形成される。払出体１０は、収容部８に収容され、払出軸１３および螺旋体１４を備えた螺旋状である。払出軸１３は、左右方向に直線的に延びる丸棒により構成される。螺旋体１４は、払出軸１３の左右方向に延びる軸心と平行な方向に球を１個ずつ分離する間隔で、払出軸１３の外周面から径方向外側に螺旋形状に突出する。払出モータ１１は、筐体１２に収容され、筐体１２は、タンク２の右端部の外側に固定される。払出モータ１１のモータケースは、タンク２または筐体１２に固定される。払出モータ１１の出力軸には、払出体１０が連結される。
【０００９】
抜取機構４は、底面６の取入口部７よりも上流側に設けられ、抜取口部１８、抜取扉１９を備える。抜取口部１８は、底面６に上下方向への貫通孔として設けられる。抜取扉１９は、抜取口部１８を開閉するようにタンク２の底部の下方に設けられる。
【００１０】
そして、抜取扉１９が人による閉操作によって抜取口部１８を閉鎖し、払出機構３が停止した状態において、パチンコ球と呼ばれる球がタンク２の上方からタンク２の内部に入れられてタンク２に貯蔵される。球がタンク２に貯蔵された状態において、払出体１０が払出モータ１１で払出軸１３の周方向で一方向に駆動されると、払出体１０の螺旋体１４がタンク２から取入口部７を経由して収容部８に取り込まれた球を１個ずつ分離しながら左から右の方に誘導し、当該誘導された球が排出口部９から下方に払い出される。また、抜取扉１９が人による閉操作によって抜取口部１８を閉鎖し、払出機構３が停止し、球がタンク２に貯蔵された状態において、抜取扉１９が人による開操作によって抜取口部１８を開放すると、球がタンク２から抜取口部１８を経由して下方に抜き取られる。よって、球をタンク２から抜き取る場合、電気を使用することなく、取り扱いが容易であるという利点がある。
【００１１】
図２を参照し、払出機構３および抜取機構４について説明する。払出機構３の筐体１２の下部には、球検出器１５および球出口１６を備える。球検出器１５は、排出口部９から球出口１６に向かう球を検出した球検出信号を遊技盤の裏面に設けられた主制御装置５７（図７参照）に出力する。球出口１６は、球検出器１５から下方に落下した球を筐体１２から下方に排出する孔である。
【００１２】
抜取機構４は、抜取口部１８、抜取扉１９、カバー２０を備える。抜取口部１８の周囲におけるタンク２の底部には、扉収容部２２、ガイド部２３、閉係合部２４、開係合部２５、取付部２６を備える。扉収容部２２は、抜取扉１９の閉方向端部を収容するように、タンク２の底面６から下方への窪みとして、抜取口部１８における抜取扉１９の閉方向縁に設けられる。ガイド部２３は、抜取扉１９の開閉方向に直交する方向に相対峙し、抜取扉１９の開閉方向に延びる突壁として、タンク２から下方に突出する。閉係合部２４は、抜取扉１９を閉鎖位置に保持するものであって、ガイド部２３よりも抜取扉１９の開閉方向に直交する方向の外側に位置し、かつ、抜取扉１９の閉鎖側に位置し、下方に突出する突起として、タンク２の底部に設けられる。開係合部２５は、抜取扉１９を開放位置に保持するものであって、ガイド部２３よりも抜取扉１９の開閉方向に直交する方向の外側に位置し、かつ、抜取扉１９の開放側に位置し、下方に突出する突起として、タンク２の底部に設けられる。取付部２６は、抜取口部１８やガイド部２３よりも外側に位置し、筒状として、タンク２から下方に突出する。
【００１３】
抜取扉１９には、操作部２８、滑走部２９、弾性片３０、溝３１、被係合部３２を備える。操作部２８は、抜取扉１９から下方に突出するように抜取扉１９に固定される。滑走部２９は、抜取扉１９の開閉方向に直交する方向に相対峙し、抜取扉１９の開閉方向に延びる突壁として、抜取扉１９から下方に突出する。弾性片３０は、抜取扉１９の開閉方向に直交する方向の両縁部に設けられる。弾性片３０における抜取扉１９の閉鎖側端部が、溝３１によって、抜取扉１９から分離される。弾性片３０における抜取扉１９の開放側端部は、抜取扉１９に連接される。よって、弾性片３０は、片持ち梁のような構造である。
被係合部３２は、上方に突出する突起として、弾性片３０に設けられる。
【００１４】
カバー２０には、抜取逃避部３４、操作逃避部３５、リブ３６、取付部３７を備える。抜取逃避部３４は、カバー２０における抜取扉１９の閉方向端から抜取扉１９の開方向への窪みとして、カバー２０における抜取扉１９の閉方向端部に設けられる。操作逃避部３５は、抜取扉１９の開閉方向に移動する操作部２８を逃げる部分であって、上下方向への貫通孔として、カバー２０に設けられる。リブ３６は、抜取扉１９の開閉方向に直交する方向に相対峙し、抜取扉１９の開閉方向に延びる突壁として、カバー２０から上方に突出する。取付部３７は、取付部２６と対向し、上下方向に貫通するねじ挿入孔として、カバー２０に設けられる。
【００１５】
抜取機構４のタンク２への取付方について説明する。抜取扉１９がタンク２の底部とカバー２０との間に配置されるように、取付部３７が取付部２６に下方から被せられる。その後、タッピングスクリューのような止ねじ３８が取付部３７を経由して取付部２６に締結され、カバー２０がタンク２の底部に固定される。このようにカバー２０がタンク２の底部に固定された場合、抜取逃避部３４が抜取口部１８よりも下方で抜取口部１８の真下に位置し、操作部２８が操作逃避部３５を経由してカバー２０よりも下方に突出し、滑走部２９がリブ３６よりも外側に配置されつつカバー２０の上に接触して乗り、ガイド部２３が抜取扉１９の上面と対向し、弾性片３０および被係合部３２が閉係合部２４または開係合部２５と対向し、抜取扉１９がタンク２の底部とカバー２０との間に開閉方向に移動可能に配置される。これによって、図３乃至図５に示すように、抜取機構４がタンク２に取り付けられる。
【００１６】
図３に示すように、抜取扉１９が抜取口部１８を閉鎖した場合、抜取扉１９の閉方向端部が扉収容部２２に収容されて下から受け止められるので、抜取扉１９が閉鎖位置に保持された状態において、球がタンク２の上方からタンク２の内部に入れられてタンク２に貯蔵される場合、抜取扉１９がそれの上に搭載された球の重さを負担し、球が抜取扉１９から取入口部７（図１参照）の方に適切に流下するという利点がある。また、抜取扉１９が抜取口部１８を閉鎖した場合、抜取扉１９が矢印Ｘ２で示す方向に移動しないように、閉係合部２４と被係合部３２とが互いに係留し、抜取扉１９が閉鎖位置に保持されるので、球が抜取口部１８から落下することなくタンク２に適切に貯蔵されるという利点がある。
【００１７】
図３に示すように、抜取扉１９が閉鎖位置に保持された状態において、操作部２８が人によって矢印Ｘ２で示す開方向に弾性片３０（図２参照）による弾性よりも大きな力で操作されると、弾性片３０が抜取扉１９との連接部を中心として下方に撓み、被係合部３２が閉係合部２４を開方向に越えるのに伴い、弾性片３０が抜取扉１９との連接部を中心として上方に復元し、抜取扉１９が開方向に移動する。その後、被係合部３２が開係合部２５に接触するのに伴い、弾性片３０が抜取扉１９との連接部を中心として下方に撓み、被係合部３２が開係合部２５を開方向に越えるのに伴い、弾性片３０が抜取扉１９との連接部を中心として上方に復元し、抜取扉１９が抜取口部１８を開放する。抜取扉１９が抜取口部１８を開放した場合、開係合部２５と被係合部３２とが互いに係留し、抜取扉１９が図４に示すように開放位置に保持されるので、球が抜取口部１８からタンク２の下方外部に適切に抜き取られるという利点がある。
【００１８】
図４に示すように、抜取扉１９が抜取口部１８を開放した場合、抜取扉１９が矢印Ｘ３で示す方向に移動しないように、開係合部２５と被係合部３２とが互いに係留し、抜取扉１９が開放位置に保持されるので、人が操作部２８から手を離しても、抜取扉１９が抜取口部１８を開放し続け、球が抜取口部１８からタンク２の下部外側に落下されるという利点がある。
【００１９】
図４に示すように、抜取扉１９が開放位置に保持された状態において、操作部２８が人によって矢印Ｘ３で示す閉方向に弾性片３０（図２参照）による弾性よりも大きな力で操作されると、弾性片３０が抜取扉１９との連接部を中心として下方に撓み、被係合部３２が開係合部２５を閉方向に越えるのに伴い、弾性片３０が抜取扉１９との連接部を中心として上方に復元し、抜取扉１９が閉方向に移動する。その後、被係合部３２が閉係合部２４に接触するのに伴い、弾性片３０が抜取扉１９との連接部を中心として下方に撓み、被係合部３２が閉係合部２４を閉方向に越えるのに伴い、弾性片３０が抜取扉１９との連接部を中心として上方に復元し、抜取扉１９が抜取口部１８を閉鎖する。抜取扉１９が抜取口部１８を閉鎖した場合、閉係合部２４と被係合部３２とが互いに係留し、抜取扉１９が図３に示すように閉鎖位置に保持される。
【００２０】
図３および図４において、抜取扉１９にはばねが開放する方向または閉鎖する方向に付設されていないので、構造が簡単になるうえ、抜取扉１９の開閉操作が容易であるという利点がある。
【００２１】
図６を参照し、前記球払出装置１を搭載したパチンコ遊技機について説明する。パチンコ遊技機は、遊技機枠４１の内部に図外の遊技盤を交換可能に取り付ける形態である。遊技機枠４１は、固定枠４２の前部に可動枠４３を開閉可能に備え、可動枠４３の前部に前扉４４および皿構造体４５を開閉可能に備える。固定枠４２は、遊技機設置設備に固定される。遊技機設置設備は、パチンコ遊技機を設置する遊技店の島と呼ばれる設備である。可動枠４３は、左側に位置するヒンジ４６を中心とし、固定枠４２の前で前方に開かれかつ後方に閉じられるように、片開き可能である。可動枠４３には、図外の施錠装置、図外の遊技盤を交換可能に取り付けるための機構、図外の球発射機構、球払出装置１が設けられる。前扉４４および皿構造体４５は、個別に、左側に位置する図外のヒンジを中心とし、可動枠４３の前で前方に開かれかつ後方に閉じられるように、片開き可能である。
【００２２】
前扉４４には、窓４７および前面パネル４８が設けられる。窓４７は、前後方向への貫通孔として構成される。前面パネル４８は、窓４７を後から塞ぐ大きさのガラスまたは合成樹脂からなる光透過性の有る無色な板状に構成される。皿構造体４５は、前扉４４よりも下部に配置される。皿構造体４５の前部には、受皿４９、球発射操作機構５０が設けられる。受皿４９は、供給口５１、払出口５２、図外の抜取機構を備える。
【００２３】
図６において、可動枠４３が閉じられて固定枠４２に開閉不能に支持され、前扉４４および皿構造体４５が閉じられて可動枠４３に開閉不能に支持され、遊技者が受皿４９にパチンコ球と呼ばれる球を入れて球発射操作機構５０を右回りに操作すると、球発射機構が受皿４９から供給口５１を経由して球発射機構に取り込まれた球を球発射操作機構５０の操作量に応じた発射力で１個ずつ遊技盤の前面に向けて発射する。遊技盤の前面に到達した球が、遊技盤の前面を流下する過程において、遊技盤の前面の入賞部品に入賞すると、球払出装置１の払出機構３が賞球としての球を遊技者に払い出すべく払出口５２から受皿４９に払い出す。
【００２４】
図７において、球払出装置１の払出機構３の球出口１６は、払出通路５４によって払出口５２に接続される。球払出装置１の抜取機構４の抜取口部１８および抜取逃避部３４には、抜取通路５５が接続される。可動枠４３における遊技盤を装着する部材には、遊技盤の後部品を逃げるための逃避孔５６が設けられる。遊技盤の後面には、主制御装置５７が設けられる。可動枠４３における遊技盤を装着する部材の後面には、払出発射制御装置５８および電源装置５９が設けられ、可動枠４３における遊技盤を装着する部材の前面には、発射機構６０が設けられる。
【００２５】
電源装置５９が遊技機設置構造体に設けられる図外の島電源装置に接続された状態において、図外の電源スイッチが遊技店の店員によって投入されると、電源装置５９が島電源装置から供給される２４ボルトの交流電源をパチンコ機に使用する電圧の直流電源に変換し、この変換した直流電源と変換しない２４ボルトの交流電源とを電源装置５９が主制御装置５７、払出発射制御装置５８、図外の統括制御装置、図外の図柄制御装置、図外の表示制御装置、図外の音制御装置に配電する。
【００２６】
図８を参照し、球払出装置１の保守などのために、抜取機構４によりタンク２から球を抜き取る場合について説明する。遊技機設置構造体６１の上部には、図外の補給機構を備える。補給機構は、球を排出する部分に、開閉機構を備える。遊技機設置構造体６１の棚６２の上に球箱６３が置かれ、抜取通路５５の下開口が球箱６３の真上に配置されるように、可動枠４３が固定枠４２の前に開放される。この可動枠４３の開放に伴い、補給機構の開閉機構が補給機構から球を下方に落下させないように機械的に動作する。換言すると、開閉機構が可動枠４３の開放に連動して球を下方に落下させないように補給機構の球を排出する部分を閉鎖する。このように可動枠４３が開放された後に、遊技店の店員が抜取機構４の操作部２８を開放操作する。これによって、球が矢印Ｘ４で示すようにタンク２から抜取機構４および抜取通路５５を経由して球箱６３に排出される。その後、遊技店の店員が球払出装置１に対し保守作業を行う。球箱６３の容積は、タンク２の容積よりも大きい。例えば、タンク２の容積は、５００個乃至６００個の球を貯蔵できる大きさであるのに対し、球箱６３の容積は、２０００個の球を貯蔵できる大きさである。
【００２７】
球箱６３を使用しない場合、遊技店の店員が、抜取通路５５の下部を手で塞ぎ、操作部２８を開放操作した後、抜取通路５５の下部を手で塞いだまま、可動枠４３を閉じる。可動枠４３が固定枠４２に閉じられる際、遊技店の店員は、上記手を抜取通路５５の下部から可動枠４３の前方に抜き取る。これによって、抜取通路５５から下方に排出される球は、遊技機設置構造体６１の下部に設けられた図外の捕捉機構に排出される。
【００２８】
遊技店の店員が、抜取通路５５の下部を手で塞がずに、操作部２８を開放操作してもよい。この場合、操作部２８の開放操作後、球がタンク２から抜取通路５５の下部に到達するまでの間に、遊技店の店員が可動枠４３を閉じれば、抜取通路５５から排出される球が遊技店内に散乱するような不都合が解消される。
【産業上の利用可能性】
【００２９】
図９および図１０は、発明を実施するための異なる形態である。図９は、遊技機の球払出装置１の平面を示す。図１０は、抜取機構４を分解して示す。図９において、図１と異なる構造は、払出モータ１１を収容した筐体１２がタンク２の後外部に固定され、払出体１０の払出軸１３が前後方向に直線的に延びるように配置される。図１０において、図２と異なる構造は、球検出器１５および球出口１６が筐体１２から分かれて排出口部９の下部に接続されるようにタンク２に設けられ、閉係合部２４および開係合部２５がガイド部２３から分かれてタンク２の底部に設けられ、被係合部３２の突出された弾性片３０が抜取扉１９の開閉方向に直交する方向の中央部に設けられる。
【００３０】
図１において、払出機構３がタンク２の右端部に設けられ、タンク２の底面６が球を右から左に向けて流下させるというように、球を取入口部７に向けて流下させる斜面を構成し、払出体１０の螺旋体１４がタンク２から取入口部７を経由して収容部８に取り込まれた球を１個ずつ分離しながら右から左の方に誘導するようにしてもよい。
【００３１】
図６において、遊技機はパチンコ遊技機に限定されるものではなくスロットマシンでもよい。つまり、遊技盤を図柄表示器に置換し、球発射操作機構５０を球取込操作機構に置換し、球発射機構を球取込機構に置換し、遊技開始操作機構および図柄停止操作機構を可動枠４３の前部に設ければ、球払出装置１はスロットマシンにも適用できる。
【００３２】
図９において、払出体１０の螺旋体１４がタンク２から取入口部７を経由して収容部８に取り込まれた球を１個ずつ分離しながら前から後の方に誘導するようにしてもよく、または、払出機構３がタンク２の左端部に設けられ、タンク２の底面６が球を右から左に向けて流下させるというように、球を取入口部７に向けて流下させる斜面を構成し、払出体１０の螺旋体１４がタンク２から取入口部７を経由して収容部８に取り込まれた球を１個ずつ分離しながら前から後の方に誘導するようにしてもよく、または、払出機構３がタンク２の左端部に設けられ、筐体１２がタンク２の前外部に固定されてもよい。
【００３３】
図１または図９において、払出体１０は、円板の外縁部に凹部を周方向に１個ずつ分離する間隔で複数設けられたスプロケット構造でもよい。
【図面の簡単な説明】
【００３４】
【図１】球払出装置の平面図（最良の形態）。
【図２】抜取機構の分解斜視図（最良の形態）。
【図３】抜取扉が抜取口部を閉鎖した図１のＡ−Ａ線断面図（最良の形態）。
【図４】抜取扉が抜取口部を開放した図１のＡ−Ａ線断面図（最良の形態）。
【図５】図１のＢ−Ｂ線断面図（最良の形態）。
【図６】パチンコ遊技機の斜視図（最良の形態）。
【図７】パチンコ遊技機の背面図（最良の形態）。
【図８】パチンコ遊技機の可動枠を開放した側面図（最良の形態）。
【図９】球払出装置の平面図（異なる形態）。
【図１０】抜取機構の分解斜視図（異なる形態）。
【図１１】ａ図は球払出装置の平面図、ｂ図はａ図のＣ−Ｃ線断面図（従来）。
【符号の説明】
【００３５】
１は球払出装置、２はタンク、３は払出機構、４は抜取機構、５は欠番、６は底面、７は取入口部、８は収容部、９は排出口部、１０は払出体、１１は払出モータ、１２は筐体、１３は払出軸、１４は螺旋体、１５は球検出器、１６は球出口、１７は欠番、１８は抜取口部、１９は抜取扉、２０はカバー、２１は欠番、２２は扉収容部、２３はガイド部、２４は閉係合部、２５は開係合部、２６は取付部、２７は欠番、２８は操作部、２９は滑走部、３０は弾性片、３１は溝、３２は被係合部、３３は欠番、３４は抜取逃避部、３５は操作逃避部、３６はリブ、３７は取付部、３８は止ねじ、３９；４０は欠番、４１は遊技機枠、４２は固定枠、４３は可動枠、４４は前扉、４５は皿構造体、４６はヒンジ、４７は窓、４８は前面パネル、４９は受皿、５０は球発射操作機構、５１は供給口、５２は払出口、５３は欠番、５４は払出通路、５５は抜取通路、５６は逃避孔、５７は主制御装置、５８は払出発射制御装置、５９は電源装置、６０は発射機構、６１は遊技機設置構造体、６２は棚、６３は球箱、６４は欠番、６５は払出球出口部、６６は抜取球出口部。
【図１】
2008188336.tif 000003
【図２】
2008188336.tif 000004
【図３】
2008188336.tif 000005
【図４】
2008188336.tif 000006
【図５】
2008188336.tif 000007
【図６】
2008188336.tif 000008
【図７】
2008188336.tif 000009
【図８】
2008188336.tif 000010
【図９】
2008188336.tif 000011
【図１０】
2008188336.tif 000012
【図１１】
2008188336.tif 000013